(57)【要約】【課題】本発明の課題は、カードに記載された署名について、筆記したときの状態を保持して、また、署名の追記や書き換えを防止するカード媒体を提供することである。【解決手段】カード基材（１０１）上の所定領域に筆記部（１０３）を備えたカードにおいて、前記カードは、紫外線をスポット上に照射する紫外線描画ペン（３００）を用いて、所定情報を筆記するための紫外線変色層が形成された筆記部（１０３）と、可視透明性を有し、かつ、紫外線遮断特性を有するカバーフィルム（１０９）と、を備え、前記筆記部に対して紫外線描画ペン（３００）で所定情報を筆記した後に、当該筆記部（１０３）を前記カバーフィルム（１０９）で覆うようにしたことを特徴とする紫外線描画カード（１００）である。【選択図】図１
2010105340.tif 000002
【特許請求の範囲】
【請求項１】
カード基材上の所定領域に筆記部を備えたカードにおいて、
前記カードは、
紫外線をスポット上に照射する紫外線描画ペンを用いて、所定情報を筆記するための紫外線変色層が形成された筆記部と、
可視透明性を有し、かつ、紫外線遮断特性を有するカバーフィルムと、
を備え、
前記筆記部に対して紫外線描画ペンで所定情報を筆記した後に、当該筆記部を前記カバーフィルムで覆うようにした
ことを特徴とする紫外線描画カード。
【請求項２】
前記紫外線変色層は、
少なくとも、インキビヒクルとロイコ染料を含む
ことを特徴とする請求項１に記載の紫外線描画カード。
【請求項３】
前記カバーフィルムは、
可視透明性を有する紫外線遮断フィルムと前記フィルムの一方の面に可視透明性を有するヒートシール層を積層してなり、
ヒートシール層をカード基材面と対向する側に設け、
前記フィルムの一辺をカード基材面の端部近傍に接着してなる
ことを特徴とする請求項１または２のいずれか１項に記載の紫外線描画カード。
【発明の詳細な説明】
【技術分野】
【０００１】
本発明は、紫外線照射により手書き文字を描画するカードに関するものである。
本発明は特にカードに記載された署名（サイン）の安全性（セキュリティ）を確保・維持させる場合に有用である。
【背景技術】
【０００２】
現代のカード社会においては、カードの不正利用を防止するために、カードの利用者に対して、カード所有者本人であることを確実に確認することが重要である。
そこで、以下に、本人確認方法とその問題点を説明する。
《１．署名による本人確認》
署名照合方法は、カード記載のサインを用いて本人確認する方法がある。
署名照合方法では、カードの署名欄に、予め、所有者サインを記入しておき、カードの利用時に、利用者にサインをしてもらい、両者のサインを照合して、本人確認をする。
カード最表面に署名欄には、インキが定着しやすいサインパネルが最表面に装備されている。カードの署名は、最表面のサインパネルに直接署名されていることから、外部からの衝撃で傷が付いたり、汚れが付いたりして、署名が不鮮明になり、照合が困難になる。
また、カードの署名がカードの最表面に直接に記載されていることから、署名後に他人が書き加えたり、署名を消して書き加えたりすることも可能である。不正に署名を書き換えることも可能である。
【０００３】
《２．顔画像による本人確認》
顔画像照合方法は、カード所有者の顔画像をカードに付しておき、カードの利用時に、本人の顔とカードの顔画像を照合して、本人確認をする。
たとえば、特許文献１では、画像付カードにおいて、レーザー光の照射により顔料を変色させることで、所有者本人の顔画像を形成させる技術が開示されている。
【０００４】
【特許文献１】特開２００２−８６９６７号公報（段落００１２−段落００１９、図３）
【発明の開示】
【発明が解決しようとする課題】
【０００５】
しかしながら、特許文献１の技術では、
顔の画像が個人情報として、露出しているので、たとえば、紛失したカードを他人が拾得したときに、改竄されて不正利用される恐れがある。
【０００６】
本発明は以上のような点を解決するためになされたものであって、本発明の課題は、カードに記載された署名について、筆記したときの状態を保持して、また、署名の追記や書き換えを防止するカード媒体を提供することである。
【課題を解決するための手段】
【０００７】
本発明は、以下の各態様に記載の手段により、前記課題を解決する。
すなわち、本願発明の第１の発明は、
カード基材（１０１）上の所定領域に筆記部（１０３）を備えたカードにおいて、
前記カードは、
紫外線をスポット上に照射する紫外線描画ペン（３００）を用いて、所定情報を筆記するための紫外線変色層が形成された筆記部（１０３）と、
可視透明性を有し、かつ、紫外線遮断特性を有するカバーフィルム（１０９）と、
を備え、
前記筆記部に対して紫外線描画ペン（３００）で所定情報を筆記した後に、当該筆記部（１０３）を前記カバーフィルム（１０９）で覆うようにした
ことを特徴とする紫外線描画カード（１００）
である。
【０００８】
このように、紫外線照射により紫外線変色層上に筆記された所定情報（＝署名、サイン）は、筆記後に紫外線遮断特性を有するカバーフィルムによって覆われて紫外線の照射が防止されるために、筆記されたときの状態を維持することが可能である。
【０００９】
本願発明の第２の発明は、前記紫外線変色層は、
少なくとも、インキビヒクルとロイコ染料を含む
ことを特徴とする請求項１に記載の紫外線描画カードである。
【００１０】
本願発明の第３の発明は、
前記カバーフィルム（１０９）は、
可視透明性を有する紫外線遮断フィルム（１０９ｂ）と前記フィルムの一方の面に可視透明性を有するヒートシール層（１０９ａ）を積層してなり、
ヒートシール層（１０９ａ）をカード基材面（１０１）と対向する側に設け、
前記フィルム（１０９）の一辺をカード基材面（１０１）の端部近傍に接着してなる
ことを特徴とする請求項１または２のいずれか１項に記載の紫外線描画カード
である。
【００１１】
あるいは、筆記された所定情報は、熱により接着により剥離不可能なカバーフィルムで覆われているために、追記や書き換えが不可能である。
また、外部からの傷、汚れからも保護される。
【発明の効果】
【００１２】
本願発明によれば、カード署名欄の署名について、
（１）紫外線遮断フィルムで覆うことで、通常の使用環境下において、署名の状態を保持することが可能である。
（２）剥離が不可能なカバーフィルムで覆うことで、他人による不正な追記や書き換えなどの改竄を防止することが可能である。
（３）カバーフィルムで覆うことで、外部からの傷や汚れから保護することが可能である。
従って、本発明によれば、署名を、筆記したときの状態を長期間にわたって保持することが可能であるという効果がある。
【発明を実施するための最良の形態】
【００１３】
以下、図面等を参照しながら、本発明の実施の形態について、更に詳しく説明する。
【００１４】
図１は、本発明による紫外線描画カード１００の外観を説明する図である。
紫外線描画カード１００は、筆記部１０３に対して紫外線描画ペンで所定情報を筆記した後に、当該筆記部を前記カバーフィルム１０９で覆うようにしたカードである。
紫外線描画カード１００は、カード基材１０１と、カバーフィルム１０９と備える。
カード基材１０１の端部近傍は、カバーフィルム１０９の一辺と接着する。
【００１５】
カード基材１０１は、筆記部１０３を有する。
筆記部１０３は、紫外線変色層により形成された筆記領域である。
紫外線変色層は、紫外線により変色（＝発色）する感光材料である。
【００１６】
カバーフィルム１０９は、可視透明性を有し、筆記部１０３に筆記された所定情報を目視することができる。
【００１７】
図２は、紫外線描画カード１００の構成図である。
紫外線描画カード１００は、筆記部１０３を有するカード基材１０１と、カバーフィルム１０９とが、接着層１０２によって、接着して構成される。
紫外線描画カードの接着部付近の部分拡大図１００ａには、この紫外線描画カードの層構成が示されている。
このようにカバーフィルム１０９とカード基材１０１を接着させることは、カバーフィルム１０９をカード基材１０１上の所定の位置に設けておくために有用である。
【００１８】
筆記部１０３は、紫外線の感光材料である紫外線変色層により形成される。
紫外線変色層の感光材料は、たとえば、特許３７８７３８１号公報（段落０００８−段落００１３）に開示されている紫外線量検知インキを用いればよい。この紫外線量検知インキは、赤外線吸収剤と、ロイコ染料と、インキビヒクルなどからなる感光材料である。
【００１９】
なお、ロイコ染料は、通常、無色または淡色の有機色素（発色剤）である。ブレンステッド酸、ルイス酸等の活性種の作用で発色する性質を有し、酸化されて濃色の染料となるが反応は不可逆である。
従って、発色したロイコ染料は、無色の状態に戻すことは不可能である。
このロイコ染料は、トリフェニルメタンフタリド類、フルオラン類、フェノチアジン類、インドリルフタリド類、ロイコオーラミン類、ローダミンラクタム類、ローダミンラクトン類、インドリン類、トリアリールメタン類から選ばれる少なくとも１種の化合物が好ましい。これらの化合物は、色調や発色性能に応じて選択する。
【００２０】
カバーフィルム１０９は、可視透明性を有する紫外線遮断フィルム１０９ｂの一方の面に、可視透明性を有するヒートシール層１０９ａを積層する。
【００２１】
ヒートシール層１０９ａは、カード基材面１０１と対向する側に設ける。
ヒートシール層１０９ａは、カード基材１０１と、カバーフィルム１０９とを重ねて加熱することにより、両者を剥離不可能に熱接着する。
【００２２】
紫外線遮断フィルム１０９ｂは、自動車や家のウィンドウ用に使用されている紫外線カットフイルムなどである。たとえば、特開平７−３２１７号公報（段落０００９−段落００１１、図１）に開示されている紫外線吸収性透明粘着シートを用いればよい。この紫外線吸収性透明粘着シートは、粘着成分にベンゾトリアゾール系化合物の紫外線吸収剤を混合して、ＰＥＴフィルムに塗布したものである。なお、この紫外線吸収性透明粘着シートは、可視光成分は透過する。
【００２３】
図３は、紫外線描画ペン３００の外観図である。
紫外線描画ペン３００は、紫外線描画カード１００の筆記部１０３に紫外線を照射して、所定情報（＝署名、サイン）を筆記する。
紫外線描画ペン３００は、外線照射開口部３０１を有する。
紫外線描画ペン３００は、紫外線光源を備えて、外線照射開口部３０１から紫外線を照射する。
【００２４】
紫外線描画ペン３００は、紫外線光源のＯＮ／ＯＦＦスイッチを備えても良い。（図示せず）
あるいは、紫外線描画ペン３００は、外線照射開口部３０１に圧力センサーを具備させて、所定情報を筆記するときの筆圧を圧力センサーで感じて、紫外線光源をＯＮ／ＯＦＦさせてもよい。
【００２５】
（変形例）
以上のように、紫外線描画カード１００について説明したが、以下に変形例を説明する。
（１）筆記部１０３は、カード基材１０１の全体でも良い。
（２）カバーフィルム１０９は、筆記部１０３を覆う大きさであれば良い。
（３）カバーフィルム１０９は、カード基材１０１の全体を覆うものでなく、少なくともカード基材面１０１の端部近傍に接着してなる一辺以外の辺に、仮止め接着層を設けて、カード基材面１０１に仮止めしても良い。
【図面の簡単な説明】
【００２６】
【図１】本発明による紫外線描画カード１００の外観図
【図２】紫外線描画カード１００の構成図
【図３】紫外線描画ペン３００の外観図
【符号の説明】
【００２７】
１００  紫外線描画カード
１０１  カード基材
１０２  接着層
１０３  筆記部
１０９  カバーフィルム
１０９ａ  可視透明性なヒートシール層
１０９ｂ  可視透明性な紫外線遮断フィルム
３００  紫外線描画ペン
３０１  外線照射開口部
【図１】
2010105340.tif 000003
【図２】
2010105340.tif 000004
【図３】
2010105340.tif 000005